(57)【要約】【課題】  簡単な操作によってキャップの着脱が容易になされるとともに、振動などによるキャップの脱落を確実に防止することができるキャップ付き容器を提供する。【解決手段】  キャップ付き容器１は、グリップ兼液剤貯留容器として機能する容器本体２と、この容器本体２の液剤注入口部２０に外嵌固定されて該液剤注入口部２０を塞ぐとともに、容器本体２内液剤の流出口３０ａを備える蓋部材３と、この蓋部材３に保持されていて流出口３０ａから出た液剤を含浸して被塗布面に塗布するための塗布部材４と、この塗布部材４を覆って蓋部材３に着脱可能に被せられるキャップ５とを備え、蓋部材３とキャップ５の縦方向と縦軸軸まわり方向の複合相対進退により、蓋部材３とキャップ５とを結合または分離できる複合進退式係脱機構８を両部材３，５に分割して設けてある。【選択図】        図２
2008265852.tif 000002
【特許請求の範囲】
【請求項１】
容器本体と、この容器本体に着脱可能に被せられるキャップと、を備えたキャップ付き容器において、前記容器本体とキャップの縦方向と縦軸軸まわり方向の複合相対進退によって、蓋部材とキャップの両部材を結合または分離できる複合進退式係脱機構が前記両部材に分割して設けられていることを特徴とするキャップ付き容器。
【請求項２】
請求項１に記載のキャップ付き容器において、
前記複合進退式係脱機構が、前記両部材の一方に設けられて縦方向にのびる縦延部および該縦延部に連通して横方向にのびる横延部を有する係止部と、両部材の他方に設けられて前記係止部に係脱可能な係止凸部とを備え、両部材の縦方向相対前進時の係止凸部と前記係止部の縦延部との係合および両部材の縦軸軸まわり方向の相対前進の複合動作による前記係止部の横延部と係止凸部との係合で両部材を一体に結合させるとともに、両部材一体結合後の両部材の縦軸軸まわり方向の相対後退および両部材の縦方向相対後退の複合動作による係止部と係止凸部との係合解除で両部材が分離できるように構成されていることを特徴とするキャップ付き容器。
【請求項３】
請求項１または請求項２に記載のキャップ付き容器において、
前記容器本体でグリップ兼液剤貯留容器が構成され、この液剤貯留容器の液剤注入口部に外嵌固定されて該液剤注入口部を塞ぐとともに、液剤貯留容器内液剤の流出口を備える蓋部材と、この蓋部材に保持されていて前記流出口から出た液剤を含浸して被塗布面に塗布するための塗布部材とを備え、この塗布部材を覆って前記蓋部材に前記複合進退式係脱機構を介して前記キャップが着脱可能に被せられることを特徴とするキャップ付き容器。
【請求項４】
請求項３に記載のキャップ付き容器において、
前記蓋部材に前記係止凸部が径外方向に突出して設けられ、前記キャップに前記係止部が設けられていることを特徴とするキャップ付き容器。
【請求項５】
請求項３または請求項４に記載のキャップ付き容器において、
前記係止部が縦延部から横延部にかけて円弧状に形成されていることを特徴とするキャップ付き容器。
【発明の詳細な説明】
【技術分野】
【０００１】
本発明はキャップ付き容器に係り、詳しくは、容器本体に対するキャップの装着状態を確実に保持するとともに、キャップの着脱を容易にしたキャップ付き容器に関するものである。
【背景技術】
【０００２】
従来、キャップ付き容器の一例として図１０に示すものが提供されている。このキャップ付き容器１０６は、グリップを兼ねる液剤貯留容器１００と、この液剤貯留容器１００の液剤注入口部１０１に外嵌固定されて該液剤注入口部１０１を塞ぐとともに、液剤貯留容器１００に貯留されている撥水剤などの液剤の流出口１０２を備える蓋部材１０３と、この蓋部材１０３に保持されていて流出口１０２から出た液剤を含浸して自動車のウインドガラスなどの被塗布面に塗布するための塗布部材１０４と、この塗布部材１０４を覆って蓋部材１０３に着脱可能に被せられるキャップ１０５とを備え、液剤貯留容器１００、蓋部材１０３、塗布部材１０４およびキャップ１０５それぞれの横断面形状を円形にした液剤塗布具として好適なものである（たとえば、特許文献１）。
【０００３】
特許文献１に記載のキャップ付き容器１０６によれば、液剤貯留容器１００を把持し、キャップ１０５を取り外したのち、塗布部材１０４を自動車のウインドガラスなどの被塗布面に押し当てた状態で動かすことによって、液剤貯留容器１００内の液剤が蓋部材１０３の流出口１０２から流出して、塗布部材１０４に含浸されたり被塗布面に塗布される。その場合、流量調整部材１０７が流出口１０２からの液剤の流出量を調整するので、流出口１０２から液剤が過剰に流出するのを回避できる。
【０００４】
また、キャップ１０５側の雌ねじ部１０５ａと蓋部材１０３側の雄ねじ部１０３ａとの締め込みによって、蓋部材１０３にキャップ１０５が装着されて塗布部材１０４を覆って保護するとともに、キャップ１０５に一体に形成されている閉栓部１０５ｂにより蓋部材１０３の流出口１０２が塞がれることで、流出口１０２からの液剤の流出を防止しており、キャップ１０５側の雌ねじ部１０５ａと蓋部材１０３側の雄ねじ部１０３ａとの締め戻しによって、蓋部材１０３からキャップ１０５が分離されて、塗布部材１０４が露出した使用可能な状態を得ることができる。
【０００５】
【特許文献１】実用新案登録第３０６５００１号公報
【発明の開示】
【発明が解決しようとする課題】
【０００６】
ところが、前記特許文献１に記載されているキャップ付き容器１０６では、蓋部材１０３に対するキャップ１０５の着脱が、キャップ１０５と蓋部材１０３の相対的な正逆回転に伴う雌ねじ部１０５ａと雄ねじ部１０３ａとの締め込み・締め戻しによってなされるので、キャップ１０５の着脱に手間がかかる問題を有している。すなわち、キャップ１０５を着脱するための締め込み・締め戻しには、キャップ１０５と蓋部材１０３とを縦軸Ｃまわりに相対的に正逆回転させる煩雑な操作が必要であるばかりでなく、締め込み初期の段階では、キャップ１０５の縦軸Ｃと蓋部材１０３の縦軸Ｃとを略同一線上に位置決めするとともに、雌ねじ部１０５ａと雄ねじ部１０３ａそれぞれの始端部同士を突き合わせる煩わしい初期操作が要求される。しかも、締め込みトルクが基準値の許容範囲よりも小さい場合には、振動などによってキャップ１０５が蓋部材１０３から脱落して、塗布部材１０４が露出するおそれを有し、締め込みトルクが基準値の許容範囲を超えた状態で長期間放置されると、締め戻しによるキャップ１０５の分離操作が困難になるなどの問題もある。
【０００７】
本発明は、このような問題を解決するものであって、その目的とするところは、簡単な操作によってキャップの着脱が容易になされ、振動などによるキャップの不本意な脱落を確実に防止することができるキャップ付き容器を提供することにある。
【課題を解決するための手段】
【０００８】
本発明は、容器本体と、この容器本体に着脱可能に被せられるキャップと、を備えたキャップ付き容器において、前記容器本体とキャップの縦方向と縦軸軸まわり方向の複合相対進退によって、蓋部材とキャップの両部材を結合または分離できる複合進退式係脱機構が前記両部材に分割して設けられていることを特徴としている。
【０００９】
これによれば、容器本体とキャップの両部材を縦方向と縦軸軸まわり方向の順番で相対前進させる簡単な操作により、これらを一体に結合することができるとともに、両部材の一体結合は係脱機構の係合によって確実に保持できる。また、両部材を縦軸軸まわり方向と縦方向の順番で相対後退させることによって、両部材を簡単に分離して、容器本体の使用可能な状態を得ることができる。
【００１０】
また、本発明のキャップ付き容器は、前記複合進退式係脱機構が、前記両部材の一方に設けられて縦方向にのびる縦延部および該縦延部に連通して横方向にのびる横延部を有する係止部と、両部材の他方に設けられて前記係止部に係脱可能な係止凸部とを備え、両部材の縦方向相対前進時の係止凸部と前記係止部の縦延部との係合および両部材の縦軸軸まわり方向の相対前進の複合動作による前記係止部の横延部と係止凸部との係合で両部材を一体に結合させるとともに、両部材一体結合後の両部材の縦軸軸まわり方向の相対後退および両部材の縦方向相対後退の複合動作による係止部と係止凸部との係合解除で両部材が分離できるように構成されている。
【００１１】
これによれば、両部材を縦方向に相対前進させて、係止部の縦延部に係止凸部を係合させたのちに、両部材を縦軸軸まわり方向に相対前進させて、係止凸部を係止部の横延部に係合させることで両部材を一体に結合できる。また、係止凸部が係止部の横延部に係合している両部材の一体結合状態で、両部材を縦軸軸まわり方向に相対後退させて、係止凸部と横延部との係合を解いて係止凸部を係止部の縦延部に係合させたのちに、両部材を縦方向に相対後退させることで、係止凸部と縦延部の係合が解除されて両部材を分離できる。すなわち、両部材の結合と分離のそれぞれを簡単な操作により実行できる。
【００１２】
さらに、両部材を縦方向に相対前進させた際に、係止凸部が横延部に向けて縦軸軸まわり方向に前進できるように、係止部の縦延部を前記縦軸に対して傾斜させることで、係止凸部を係止部の縦延部に係合させた状態で、蓋部材とキャップの両部材を縦方向に相対前進させることによって、係止凸部と傾斜した縦延部内面との干渉により両部材３，５を縦軸軸まわり方向に相対前進させる力が生じるので、両部材に負荷する縦軸軸まわり方向に相対前進させる力を軽減しても、係止凸部が係止部の横延部に導かれて、これらが係合した蓋部材３とキャップの一体結合状態を得ることができる。逆に、係止凸部が係止部の横延部に係合した状態で、蓋部材とキャップの両部材を縦軸軸まわり方向に相対後退させることによって、係止凸部と傾斜した縦延部内面との干渉により両部材を縦方向に相対後退させる力が生じるので、両部材に負荷する縦方向に相対後退させる力を軽減しても、係止凸部と傾斜した縦延部との係合を解除できる。
【００１３】
本発明のキャップ付き容器は、前記容器本体でグリップ兼液剤貯留容器を構成し、この液剤貯留容器の液剤注入口部に外嵌固定されて該液剤注入口部を塞ぐとともに、液剤貯留容器内液剤の流出口を備える蓋部材と、この蓋部材に保持されていて前記流出口から出た液剤を含浸して被塗布面に塗布するための塗布部材とを備え、この塗布部材を覆って前記蓋部材に前記複合進退式係脱機構を介して前記キャップが着脱可能に被せられるように構成することが好ましい。
【００１４】
これによると、予め、容器本体に液剤を貯留しておき、この状態で容器本体を把持し、キャップを取り外したのち、塗布部材を被塗布面に押し当てた状態で動かすことによって、容器本体内の液剤が蓋部材の流出口から流出して、塗布部材に含浸されたり被塗布面に塗布できる。また、蓋部材にキャップが装着されることで、キャップにより塗布部材を覆ってこれを保護するとともに、液剤の蒸発を防止できる。
【００１５】
また、本発明は、前記蓋部材に前記係止凸部を径外方向に突出して設け、前記キャップに前記係止部を設けられていることが好ましい。これによると、係止凸部が係止部の横延部に係合している蓋部材とキャップの正確な一体結合状態を目視によって確認できる。
【００１６】
さらに、本発明は、前記係止部を縦延部から横延部にかけて円弧状に形成することが好ましい。これによると、係止凸部を係止部の縦延部に係合させた状態で、蓋部材とキャップの両部材を縦方向に相対前進させることによって、係止凸部と係止部内面との干渉により両部材を縦軸軸まわり方向に相対前進させる力が生じるので、両部材に対して縦軸軸まわり方向に相対前進させる力を負荷しなくとも、必然的に係止凸部が係止部の横延部に導かれて、これらが係合した蓋部材とキャップの一体結合状態を得ることができる。逆に、係止凸部が係止部の横延部に係合した状態で、蓋部材とキャップの両部材を縦軸軸まわり方向に相対後退させることによって、係止凸部と係止部内面との干渉により両部材を縦方向に相対後退させる力が生じるので、両部材に対して縦方向に相対後退させる力を負荷しなくとも、必然的に係止凸部が縦延部に導かれて、これらの係合が解除された両部材の分離を得られる。
【発明の効果】
【００１７】
本発明によれば、蓋部材とキャップの両部材を縦方向と縦軸軸まわり方向に相対前進させる簡単な操作および両部材を縦軸軸まわり方向と縦方向に相対後退させる簡単な操作により、両部材を簡単に着脱することができるとともに、複合進退式係脱機構の係合によって蓋部材とキャップの結合状態が強固に保持されるので、振動などによるキャップの不本意な脱落を確実に防止できる。
【発明を実施するための最良の形態】
【００１８】
以下、本発明に係るキャップ付き容器の好ましい一実施形態を図面にしたがって説明する。
図１は本発明に係るキャップ付き容器の一実施形態を示す斜視図、図２は図１のキャップ付き容器を分解して示す斜視図、図３は図１のキャップ付き容器を分解して示す正面図、図４は図１のキャップ付き容器要部の縦断正面図である。
【００１９】
図１〜図４において、キャップ付き容器１は、液剤塗布具としての機能を備えており、グリップを兼ねる容器本体２、蓋部材３、塗布部材４およびキャップ５を備え、容器本体２、蓋部材３およびキャップ５は合成樹脂によって成形されており、それらの横断面形状は円形に形成されている。
【００２０】
容器本体２には、たとえば、自動車のウインドガラスやサンルーフやドアミラーあるいはリヤガラスなどに撥水性を付与するための液状の撥水剤が貯留されており、その先端部に液剤注入口部２０を設けてある。
【００２１】
蓋部材３は、縦軸Ｃに直交する隔壁３０を有し、この隔壁３０の一方に塗布部材保持凹部３１を備え、隔壁３０の他方には内外周二重の周壁３２が縦軸Ｃ方向に延出しており、塗布部材保持凹部３１と内外周二重の周壁３２の内側は隔壁３０に設けた液剤の流出口３０ａを介して互いに連通している。そして、内外周二重の周壁３２と容器本体２の液剤注入口部２０とを縦軸Ｃ上で対向させたのちに、これら両部材を相対前進させて、液剤注入口部２０を内外周二重の周壁３２の間に圧入し、かつ、互いに係合させることで、蓋部材３が液剤注入口部２０に外嵌固定されて、蓋部材３により液剤注入口部２０を塞いだ状態が得られる。なお、これに先立って、予め、流量調整部材７を内外周二重の周壁３２における内周側の周壁３２ａに嵌合しておくことで、流出口３０ａからの撥水剤の流出量を調整して、流出口３０ａから撥水剤が過剰に流出するのを回避できる。
【００２２】
塗布部材４は、含浸している撥水剤を自動車のウインドガラスやサンルーフやドアミラーあるいはリアガラスなどに塗布するためのもので、不織布やフエルトあるいはスポンジなどの耐摩耗性および液体含浸性にすぐれた素材からなり、蓋部材３の塗布部材保持凹部３１に嵌合されて脱落不能に保持される形状と大きさとを有し、その縦軸Ｃ上には、流量調整部材７の流出口（図示省略）が臨む透孔４ａを設けてある。なお、蓋部材３の塗布部材保持凹部３１に塗布部材４を嵌合した場合に、塗布部材保持凹部３１の内面に形成されている複数の爪部３１ａが塗布部材４にくい込んで、塗布部材４を強固に固定できるようになっている。
【００２３】
キャップ５は、塗布部材４を覆って蓋部材３に着脱可能に被せられるもので、蓋部材３への装着により塗布部材４を覆って保護するとともに、塗布部材４に含浸している撥水剤の蒸発を抑制する。また、キャップ５に一体に形成されている棒状の閉栓部５ａにより蓋部材３における隔壁３０に設けた液剤の流出口３０ａが塞がれることで、液剤の流出口３０ａからの撥水剤の流出を防止しており、蓋部材３からキャップ５を取り外すことによって、塗布部材４が露出した使用可能な状態（図５参照）を得ることができる。
【００２４】
図１〜図５において、蓋部材３とキャップ５の両部材は、これら両部材に分割して設けた複合進退式係脱機構８によって結合または分離できるように構成されている。
【００２５】
前記複合進退式係脱機構８は、キャップ５の周壁部に円周方向等間隔で設けた三つの係止部８０と、蓋部材３の外周に円周方向等間隔で設けた三つの係止凸部８１とを備えており、各係止部８０は、縦方向にのびる縦延部８０ａおよび該縦延部８０ａに連通して横方向にのびる横延部８０ｂを有し、縦延部８０ａから横延部８０ｂにかけて略１／４円弧状に形成されている。
【００２６】
前記構成の液剤塗布具としての機能を有するキャップ付き容器１は、図１および図４に示すように、キャップ５を装着した状態で販売または保管される。この状態では、キャップ５の係止部８０における横延部８０ｂに係止凸部８１が係合して、蓋部材３とキャップ５の両部材の結合状態が強固に保持される。したがって、携行時や自動車走行時の振動などによってキャップ５が蓋部材３から脱落して、塗布部材４が露出することはない。
【００２７】
キャップ付き容器１の使用に際しては、まず、図１において容器本体２を把持固定した状態でキャップ５を矢印Ｒ１方向に回動させるか、キャップ５を把持固定した状態で容器本体２を矢印Ｒ２方向に回動させるか、あるいは、キャップ５と蓋部材３の両部材を同時に矢印Ｒ１，Ｒ２方向に回動させる。つまり、両部材３，５を縦軸Ｃの軸まわり方向に相対後退させる。このように、両部材３，５を縦軸Ｃの軸まわり方向に相対後退させることで、係止凸部８１と係止部８０内面との干渉により両部材３，５を縦方向に相対後退させる力が生じるので、両部材３，５に対して縦方向に相対後退させる力を負荷しなくとも、必然的に係止凸部８１が縦延部８０ａに導かれたのちに、これらの係合が解除されて、図５に示すように両部材３，５が分離して、塗布部材４の一部が露出した使用可能な状態を簡単に得ることができる。
【００２８】
このように、塗布部材４の一部を露出させた状態で容器本体２を把持し、塗布部材４を自動車のウインドガラスやサンルーフやドアミラーあるいはリヤガラスなどの被塗布面に押し当てて、キャップ付き容器１を動かすことによって、容器本体２内の液状の撥水剤が蓋部材３の液剤の流出口３０ａから流出して、塗布部材４に含浸されたり被塗布面に塗布される。
【００２９】
使用後のキャップ付き容器１は、図５に示すように、キャップ５を縦軸Ｃ上で塗布部材４および蓋部材３に対向させるとともに、係止凸部８１を係止部８０の縦延部８０ａに対向させる。この状態でキャップ５を塗布部材４および蓋部材３方向に移動させると、つまり、蓋部材３とキャップ５の両部材を縦軸Ｃ方向に相対前進させると、まず、係止凸部８１が係止部８０の縦延部８０ａに係合する。この状態で、蓋部材３とキャップ５の両部材を縦方向に相対前進させることによって、係止凸部８１と係止部８０の内面との干渉により両部材３，５を縦軸Ｃの軸まわり方向に相対前進させる力が生じるので、両部材３，５に対して縦軸Ｃの軸まわり方向に相対前進させる力を負荷しなくとも、必然的に係止凸部８１が係止部８０の横延部８０ｂに導かれて、これらが係合した蓋部材３とキャップ５の一体結合状態（図１参照）を簡単に得ることができる。また、係止凸部８１が係止部８０の横延部８０ｂに係合している蓋部材３とキャップ５の正確な一体結合状態を目視によって確認できる。
【００３０】
前記実施形態では、複合進退式係脱機構８を、キャップ５の周壁部に円周方向等間隔で設けた三つの係止部８０と、蓋部材３の外周に円周方向等間隔で設けた三つの係止凸部８１とを備えている構成で説明しているが、係止部８０と係止凸部８１は、それぞれが二つまたは四つ以上であってもよい。また、前記実施形態とは逆に、キャップ５の周壁部に内向きの係止凸部を二つ以上設け、蓋部材３の外周に係止凸部と同数の係止部を設けた構造であってもよい。ただし、このような構造では、係止凸部８１が係止部８０の横延部８０ｂに係合している蓋部材３とキャップ５の正確な一体結合状態を目視によって確認できないので、キャップ５の周壁部に係止部８０を設け、蓋部材３の外周に係止凸部８１を設けた構造が望ましい。
【００３１】
また、前記実施形態では、縦延部８０ａから横延部８０ｂにかけて略１／４円弧状に形成された係止部８０と係止凸部８１とを備えた複合進退式係脱機構８で説明しているが、図６に示すように、縦方向に垂直にのびる縦延部８０ａと、この縦延部８０ａに連通して横方向に水平にのびる横延部８０ｂを有するＬ字形の係止部８０と、この係止部８０に係脱可能な係止凸部８１とを備えた複合進退式係脱機構８であってもよい。
【００３２】
図６に示す複合進退式係脱機構８であれば、蓋部材３とキャップ５の両部材を縦軸Ｃ方向に相対前進させて、係止部８０の縦延部８０ａの奥部に係止凸部８１を係合させたのちに、両部材３，５を縦軸Ｃの軸まわり方向に相対前進させて、係止凸部８１を係止部８０の横延部８０ｂに係合させることで両部材３，５を一体に結合できる。また、係止凸部８１が係止部８０の横延部８０ｂに係合している両部材３，５の一体結合状態で、両部材３，５を縦軸Ｃの軸まわり方向に相対後退させて、係止凸部８１と横延部８０ｂとの係合を解いて係止凸部８１を係止部８０の縦延部８０ａに係合させたのちに、両部材３，５を縦方向に相対後退させることで、係止凸部８１と縦延部８０ａの係合が解除されて両部材３，５を分離できる。ただし、両部材３，５に対して縦軸Ｃの軸まわり方向に相対前進させる力を負荷して、係止凸部８１を縦延部８０ａから横延部８０ｂに係合させることと、両部材３，５に対して縦方向に相対後退させる力を負荷して、係止凸部８１と縦延部８０ａの係合を解除させることが必要になるので、係止部８０は、縦延部８０ａから横延部８０ｂにかけて円弧状に形成することが望ましいといえる。
【００３３】
さらに、図７に示すように、蓋部材３とキャップ５の両部材を縦方向に相対前進（矢印Ｙ参照）させた際に、係止凸部８１が横延部８０ｂに向けて縦軸Ｃの軸まわり方向（矢印Ｘ方向）に前進できるように、係止部８０の縦延部８０ａを縦軸Ｃに対して傾斜させた複合進退式係脱機構８であってもよい。
【００３４】
図７に示す複合進退式係脱機構８であれば、係止凸部８１を係止部８０の縦延部８０ａに係合させた状態で、蓋部材３とキャップ５の両部材を縦方向に相対前進させることによって、係止凸部８１と傾斜した縦延部８０ａ内面との干渉により両部材３，５を縦軸Ｃの軸まわり方向に相対前進させる力（矢印Ｘ参照）が生じるので、両部材３，５に負荷する縦軸Ｃの軸まわり方向に相対前進させる力を軽減しても、係止凸部８１が係止部８０の横延部８０ｂに導かれて、これらが係合した蓋部材３とキャップ５の一体結合状態を得ることができる。逆に、係止凸部８１が係止部８０の横延部８０ｂに係合した状態で、蓋部材３とキャップ５の両部材を縦軸Ｃの軸まわり方向に相対後退（矢印Ｘ１参照）させることによって、係止凸部８１と傾斜した縦延部８０ａ内面との干渉により両部材３，５を縦方向に相対後退させる力（矢印Ｙ１参照）が生じるので、両部材３，５に負荷する縦方向に相対後退させる力を軽減しても、係止凸部８１と傾斜した縦延部８０ａとの係合を解除できる。
【００３５】
一方、前記各実施形態では、キャップ５の周壁を貫通した透孔によって係止部８を構成しているが、図８（ａ），（ｂ）に示すように、キャップ５の周壁を貫通しない溝状の係止部８であってもよい。ただし、このような構造では、係止凸部８１が係止部８の横延部８０ｂに係合している蓋部材３とキャップ５の正確な一体結合状態を目視によって確認できないので、前記各実施形態のように、キャップ５の周壁を貫通した透孔によって係止部８を構成するのが望ましい。
【００３６】
他方、前記各実施形態では、縦延部８０ａに対する横延部８０ｂの延び方向を図面上で左側から右側に指向させた構成で説明しているが、図９に示すように、縦延部８０ａに対する横延部８０ｂの延び方向を図面上で右側から左側に指向させた構成であってもよい。このような構成であれば、キャップ付き容器１の使用に際しては、まず、図１において容器本体２を把持固定した状態でキャップ５を矢印Ｒ３方向に回動させるか、キャップ５を把持固定した状態で容器本体２を矢印Ｒ４方向に回動させるか、あるいは、キャップ５と蓋部材３の両部材を同時に矢印Ｒ３，Ｒ４方向に回動させる。つまり、両部材３，５を縦軸Ｃの軸まわり方向に相対後退させることによって両部材３，５が分離して、塗布部材４の一部が露出した使用可能な状態を簡単に得ることができ、逆に、係止凸部８１を係止部８０の縦延部８０ａに係合した状態で、蓋部材３とキャップ５の両部材を縦方向に相対前進させたのち、容器本体２を把持固定した状態でキャップ５を矢印Ｒ１方向に回動させるか、キャップ５を把持固定した状態で容器本体２を矢印Ｒ２方向に回動させるか、あるいは、キャップ５と蓋部材３の両部材を同時に矢印Ｒ１，Ｒ２方向に回動させることによって、両部材３，５を縦軸Ｃの軸まわり方向に相対後退させることによって両部材３，５の一体結合状態を得ることができる。
【００３７】
なお、蓋部材を省略したキャップ付き容器１であれば、複合進退式係脱機構８を容器本体２とキャップ５の両部材に分割して設ければよい。
【００３８】
さらに、容器本体２に液状のワックスを貯留することによって、自動車のボディに液体ワックスを塗布する液剤塗布具として使用できることはいうまでもない。
【図面の簡単な説明】
【００３９】
【図１】本発明に係るキャップ付き容器の一実施形態を示す斜視図である。
【図２】図１のキャップ付き容器を分解して示す斜視図である。
【図３】図１のキャップ付き容器を分解して示す正面図である。
【図４】図１のキャップ付き容器の縦断正面図である。
【図５】キャップが分離された状態を示す斜視図である。
【図６】複合進退式係脱機構の変形例を拡大して示す説明図である。
【図７】複合進退式係脱機構の他の変形例を拡大して示す説明図である。
【図８】係止部の変形例を拡大して示す説明図であり、図８（ａ）は正面図、図８（ｂ）は図８（ｂ）のＡ−Ａ矢視図である。
【図９】係止部の他の変形例を拡大して示す説明図である。
【図１０】従来例を一部破断して示す正面図である。
【符号の説明】
【００４０】
１  キャップ付き容器
２  容器本体
３  蓋部材
４  塗布部材
５  キャップ
８  複合進退式係脱機構
２０  液剤貯留容器の液剤注入口部
３０ａ  蓋部材の液剤の流出口
８０  複合進退式係脱機構の係止部
８０ａ  係止部の縦延部
８０ｂ  係止部の横延部
８１  複合進退式係脱機構の係止凸部
Ｃ  キャップ付き容器の縦軸
【図１】
2008265852.tif 000003
【図２】
2008265852.tif 000004
【図３】
2008265852.tif 000005
【図４】
2008265852.tif 000006
【図５】
2008265852.tif 000007
【図６】
2008265852.tif 000008
【図７】
2008265852.tif 000009
【図８】
2008265852.tif 000010
【図９】
2008265852.tif 000011
【図１０】
2008265852.tif 000012